(57)【要約】      （修正有）【課題】これまで困難とされてきた様々な製品群にＩＣタグやＱＲコード（登録商標）を必要に応じて簡単に取り付けたり、取り外したりすることができる安価なタグ類装着用構成部材を提供する。【解決手段】タグ類を貼り付けた段ボールまたはプラダンのＴＡＧピース１と、それを保持する取り付け台座２とを割ピン３を使って接合させる【選択図】図１
0003221424.tif 000002
【実用新案登録請求の範囲】
【請求項１】
ＩＣタグもしくはバーコードやＱＲコードを表示したタグ類を備える割ピンであって、当該割ピンはプラダンやもしくは段ボールのコルゲート（波型）部分に差し込むことが出来るタグ類装着用構成部材。
【請求項２】
ＩＣタグもしくはバーコード、ＱＲコードを表示したタグ類を備える割ピンを段ボールやプラダンのコルゲート（波形）部分に差し込んで、タグ類を段ボールやプラダンと離脱着できるようにした段ボールもしくはプラダン製のタグ装着通い箱。
【請求項３】
ロール紙や巻取りフィルム、布原反などを巻き付ける各種口径の紙管やプラ管、金属管などの丸筒の任意の管内面に、プラダンもしくは段ボールの「取り付け台座」を接着剤で固定し、これにタグ類を備えた割ピンを差し込み接合一体化して、離脱着できるようにしたタグ装着丸筒製品
【請求項４】
グラビヤ印刷の版材となるグラビヤシリンダーの中に、プラ段と木片の組み合わせまたはプラスチック成型品でなる「取り付け台座」を、あらかじめシリンダー内部の任意の場所に接着固定しておき、ＩＣタグを備えた割ピンをこれに差し込み、作業の必要に応じて離脱着可能な状態でＩＣタグを装着したグラビヤシリンダー
【請求項５】
請求項１のタグ類装着構成部材を使って、当該２枚のプラダンを合掌合わせ、もしくは重ね合わせで、両者を割ピンで接合一体化してタグ類を装着した台車やかご車などの物流機器又は金属製品
【考案の詳細な説明】
【技術分野】
【０００１】本考案はかご車や台車などの金属製物流機器や様々な金属製品、段ボールやプラダン製の「通い箱」、紙管やプラ管、金属管などの丸筒製品、更にはグラビヤ印版として使われるグラビヤシリンダー等に、管理用ツールとしてタグ類を取り付ける際に簡単に装着することが出来るタグ類の装着用構成部材である。
【背景技術】
【０００２】物流機器やパレット類、通い箱などのＢＯＸ類にバーコードやタグなどの管理情報を付ける場合には、粘着ラベルで直接機器に貼り付けたり、挿入用のポケットを付けてその中にタグを入れるなどの方法がとられて来た。しかし粘着ラベルは貼ったり剥がしたりしていると粘着力が落ちてきたり、貼り跡が残って汚くなることが多かった。またこれら機器や通い箱にポケットを付けるにしても、付ける場所や取り付け方法など煩雑で面倒な事が多かった。本考案はこれらの煩雑さを解消し、必要な時に必要に応じて簡単にタグ類を装脱着できる構成部材である。【０００３】物流機器類は金属製のものが多く、また建築用足場などの金属の丸管、印刷版となるグラビヤシリンダーなどの金属製品の物は、金属が電波を吸収したり反射したりするので、ＩＣタグ類はこれらの金属製品や機器類に直接取り付ける事が出来なかった。特にＩＣタグを利用する場合には、金属から所定の距離（５ｍｍ以上）離さなければ使えない問題もあった。このために各種の金属対応用タグが提案されているが、価格もかなり高いので通常のパッシブタグを使う方法が求められていた。
またグラビヤシリンダーは印刷の際には溶剤を多く含んだインキの中に直接どぶ漬されるし、改版時にはメッキ液にも耐えなければならない、過酷な条件が求められており、管理ツールの装着の仕方が非常に難しいものであった。本考案はこれらの問題を解決する装着構成部材である。
【先行技術文献】
【特許文献】
【０００４】
【特許文献１】特願２００８−０２２９８０  特開２００９−１８４７４２  ＩＣタグ装着冶具  小林織ネーム（株）
【特許文献２】特願２００７−０４４１２９  特開２００８−２１００２３  ＩＣタグ装置  日立化成（株）
【特許文献３】特願２００６−１５４８９２  特開２００７−２９０８９５６  ＩＣタグ装着装置  富士キネティックス（株）
【特許文献４】特願２００５−３７１７９８  特開２００７−１６８８８３  液体ボトル用ＩＣタグ及びＩＣタグ装着液体ボトル容器  凸版印刷（株）
【特許文献５】特願２００５−２６９３６１  特開２００１−０７６７１６  無線ＩＣタグ装着用容器及び無線ＩＣタグ付き容器  大日本印刷（株）
【特許文献６】特願２００５−２１５３２３  特開２００７−０３４５６０  ＩＣタグ貼付構造  大日本印刷（株）
【考案の概要】
【考案が解決しようとする課題】
【０００５】  管理ツールであるバーコードやＱＲコード、ＩＣタグ類を従来の粘着ラベルの直接貼り付け方式ではなく、必要な時に誰がやっても簡単に取り付け、取り外しができる簡便で且つ安価なタグ装着構成部材を提供するものである。特に見えなくても管理が出来るＩＣタグの利用普及のために高価な金属用タグを使うことなく、通常のパッシブタグを使って簡単に装着し、管理できる構成部材を提供するものである。
【課題を解決するための手段】
【０００６】  本装置はバーコードやＱＲコード、ＩＣインレットを備えた段ボール、もしくはプラダンの「ＴＡＧピース」と、「割ピン」、プラスチック成型品または木片と段ボール、またはプラダンを組み合わせた「取り付け台座」の３パーツで基本的に構成される。「ＴＡＧピース」と「取り付け台座」のそれぞれの段ボールのコルゲート（波型）部分やプラダンのマス目部分に割ピンを挿入して両者を接合・脱離することを特徴とする取り付け構成部材である。【０００７】・段ボール製やプラダンの「通い箱」はすでに箱本体の壁面にコルゲート（波形）やマス目の空洞があるので「取り付け台座」は不要である。「通い箱」本体の壁面に１ｍｍ程度の穴を設け、タグ類を備えた割ピンと本体とを当該割ピンで接合し、一体化させる。【０００８】・紙管やプラ管、金属の丸菅などの丸筒製品は、筒の内部にＩＣタグを装着する。これらの製品は機械に直接取り付けたり、雄雌にして差し込んだりして使うことが多い。このような製品にはあらかじめ作業に支障のない筒内面のしかるべき場所に取り付け台座を接着剤や粘着剤、ホットメルトなどで取り付けて置く。それに外から割ピン付き「ＴＡＧピース」を差し込んで装着する。この方法では、取り付け台座を筒径に応じて幅の狭いものにすれば口径の小さい丸筒でもタグを簡単に取り付け、取り外しする事ができる。【０００９】・グラビヤ印刷で使う版材、グラビヤシリンダーも同様である。これは両端の開口部に印刷機のコア（軸心）を差し込んで印刷機械に装着するために、これを避けてＩＣタグを設置しなければならない。また外部の読取機（リーダー）に良く反応させるためにＩＣタグは開口部に向けて平行に相対するように装着する必要がある。そのためＩＣタグ取り付け用の固定台座は、プラスチック成型品もしくは金属台、または木片を使って、プラダンと組み合わせた「取り付け台座」を使用する。これ用の台座は耐溶剤性を持つようにプラダンとはステープル、化粧釘、超音波溶着などで物理的に接合した台座とするが、基本は同じく短冊状のＩＣタグを備えた「ＴＡＧピース」を台座と割ピンで接合して使う。【００１０】短冊状の「ＴＡＧピース」は片面支持となるが、印刷時の回転軸が短冊長の上部に来るために遠心力が下方に働いて片面支持でも回転によって抜け落ちることはない。また使うインレットも様々テストした結果円偏波のインレットよりも直線偏波のインレットが望ましく、特にエブリデニソン社製ＡＤ２２９ｒ６は通信飛距離が多く得られ効果的であった。【００１１】・「ＴＡＧピース」と「取り付け台座」とを間隔をあけて左右平行に並べ、両者を伸縮性のあるＰＰ系の不織布やフィルムなどを使って繋ぎ、「ＴＡＧピース」と「取り付け台座」の両方を合掌合わせ、もしくは重ね合わせにして割ピンで繋ぎ、金属丸棒やガスボンベの口に取り付けて使うことが可能である。この場合は、プラダンの厚みでＩＣタグが金属本体から離れて距離が得られるので、通常のパッシブタグを使うことが出来る。通常のパッシブタグは、金属本体（導電帯）から距離を離せば使える事は知られているが、段ボール、もしくはプラダンには所定の厚みがあるために、この構成部材を使えば通信に必要な距離が得られることが確かめ���れた。例えば厚さ５ｍｍのプラダンを合掌合わせにした場合旗を立てたようになって本体と離れた状態で装着される。また重ね合わせにしても２枚重なり合うので金属本体からの距離が確保され、通常のＩＣタグが使えるというメリットがある。いずれにしても装着は両者の段ボール・プラダン部分を割ピンで繋ぎ止めるために、至極簡単に離脱着できるタグ装着構成部材である。
【考案の効果】
【００１２】・通常の段ボール製「通い箱」や、プラダンの「通い箱」に簡単にＩＣタグやＱＲコードなどの管理ツールを取り付けることが出来、安価に追跡管理や履歴管理ができる「通い箱」を得ることが出来る。【００１３】・印刷会社においては、紙管の内面にＩＣタグを装着することによって巻取り原紙の残紙管理や履歴管理が出来るようになり、人手による残紙管理の無理や無駄を省くことが出来る。またロール紙をすべて使い切って紙管をリユースする場合にも、段ボールだけの「取り付け台座」が付いた紙管を使いまわすので、工程上何ら支障はない。また紙管をリサイクルする場合も「ＴＡＧピース」を外しておけば、紙管には段ボールの「取り付け台座」だけが残るので叩解処理しても同材質なので全く問題はない。取り外した「ＴＡＧピースは」再度別の紙管に取り付けて使うことが出来るので、無駄はなく紙管のリサイクル・リユースにも極めて都合が良い。【００１４】・グラビヤシリンダーは印刷会社の大切な資産であるが、この保管管理にはこれまで熟練作業者の人的管理で行われてきた。このところの人手不足に伴って熟練作業者の確保が難しくなってきた背景もあって有効な管理ツールでの対策が望まれていた。しかしこのシリンダーは金属製で、印刷の際には溶剤でシャバシャバ状態のインキの中に浸漬（どぶ漬け）して使われ、また改版の際にはエッチング液の影響も受ける、非常に過酷な条件で使われるものである。さらにこのシリンダーは印刷機の軸受けをシリンダーの開口部に差し込んで機械に取り付けて使うために、ＩＣタグを取り付ける場所も限られ、これまでは有効な手立てがなかった。そのため間違ったシリンダーを使っての印刷事故はどの印刷会社でも否応なしに経験しているはずである。今回考案したタグ装着用構成部材と、それに適したインレットの組み合わせによって、あえて金属対応用のＩＣインレットを使うことなく通常のインレットを装着して効果的にグラビヤシリンダーの管理が出来るようになった。【００１５】・金属製品の管理にＩＣタグを使う場合は金属対応用タグを使うか、金属部分から距離を離して通常のタグを使わなければならず、これまで様々な提案がなされてきた。金属対応用タグは通常のタグに比べてかなり高価なこともあってなかなか採用に踏み切ることが出来ない企業が多かった。本考案によるタグ装着用構成部材は「ＴＡＧピース」部分と「取り付け台座」部分とを割ピンで繋いで一体化させるために、本体金属と距離をとって装着することが出来る事も特徴である。例えば「ＴＡＧピース」と「取り付け台座」とを距離を離して左右に配置し、間をフィルムや不織布で繋いで使うこともできる。これを金属製品に使う場合、両端の「ＴＡＧピース」と「取り付け台座」を合掌合わせにして割ピンで接合すると、金属丸棒に対してフラッグを立てたようにＩＣタグを装着できるので、通常のＩＣタグがそのまま金属製品に使うことが出来るようになる。また重ね合わせにして割ピンで接合する場合でも「ＴＡＧピース」と「取り付け台座」に使うプラダンの厚さをコントロールすることで、金属本体からの距離が得られるので、どちらにしても、高価な金属対応用タグを使うことなく通常のタグが使用できるメリットがある。この装着構成部材を使うことによって金属製のかご車や台車などの物流機器、金属製品などに必要に応じて簡単にかつ安価にＩＣタグを装着、脱着できるようになった。
【図面の簡単な説明】
【００１６】
【図１】本考案の実施の形態に係る基本構成：タグ類を備えた割ピンと取り付け台座
【図２】本考案の実施に係る管理タグ類を備えた通い箱
【図３】本考案の実施に係るＩＣタグ付き紙管
【図４】本考案の実施に係るＩＣタグ装着グラビヤシリンダー
【図５】本考案の実施に係るＩＣタグ付き金属製品
【図６】本考案の実施に係るＩＣタグ付きパレット
【考案を実施するための形態】
【００１７】本考案実施のためには、短冊状の段ボールまたはプラダンにバーコード、ＱＲコード、ＩＣタグなどの管理ツールを貼り付けた「ＴＡＧピース」部分と、プラスチック成型品または木片に物理的な方法でプラダンを取り付けた「取り付け台座」部分、または短冊状の段ボールまたはプラダンのみの「取り付け台座」部分を準備する。この両者のコルゲート部分やマス目部分に割ピンを差し込んで両者を合体接合させる方法をとる。割ピンは１本だけでなく必要があれば反対側からも複数本差し込むことも可能である。
【００１８】割ピンの材料としては、市販の「アメリカヘアーピン」鋼製、ステンレス製の他にプラスチックの成形品の割ピン、例えばポリカーボネート成型ピン、ＰＥＴ成型ピンなどを用途に応じて使うことが出来る。
取り付け台座のプラダンは使用条件によっては粘着剤、ＰＰ用接着剤、ホットメルトなど単体でも使用できるが、グラビヤシリンダーのような過酷な使用条件の場合は、物理的な接合方法も併せて用いる事が望ましい。例えば木片とプラダンの接合は、化粧くぎやステンレスの釘、ホッチキスなどのステッチピンなどを使い、プラスチック成型品とプラダンの接合は超音波溶着やヒートシールなどの方式での接続するのが好ましい。
【実施例】
【００１９】・オフセット輪転印刷機に巻取り紙をかけて印刷する際に、本装着構成部材を印刷する紙の紙管内面に取り付け、所定の回転数で通常印刷を行ったところ、ＩＣタグは所定の位置から外れることなく、印刷が出来た。この時オフセット輪転機に取り付けたままの状態で外部からＩＣタグのＩＤ番号も読み取ることが出来たので、残紙の管理にも十分使えることを確認した。
ここで使用したのは短冊状段ボールの「取り付け台座」と短冊状段ボールにタグを貼り付けた割ピン付き「ＴＡＧピース」、の組み合わせである。【００２０】・グラビヤシリンダー内部の所定の場所（側面開口部から中、１２ｍｍの位置に瞬間接着剤で取り付け台座を接着した。この場合割ピンはあらかじめ台座のプラダンにセットした状態で取り付け、これに「ＴＡＧピース」を差し込み、シリンダー軸に対して垂直になるように（開口部に向きあうように）インレットを装着した。【００２１】この場合割ピンはプラダンのマス目に沿って差し込まれるので、「ＴＡＧピース」の位置出し、直立性は容易に確保される。このようにシリンダーの開口部に相対して対面するように装着したＩＣタグを、開口部を挟んで相対してシリンダーの横にセットしたＲＦＩＤリーダー（１ＷＨｚ）でタグ情報を読み取った。結果平均５００ｍｍ以上の通信飛距離が得られることが判明し、特に金属対応用タグを使う必要がないことも分かった。この場合「取り付け台座」は木片を使い、プラダンとは粘着剤とステッチ針で繋いだものを使用した。このテスト結果、最も通信に効果的だったＩＣインレットは、エブリデニソン社のＡＤ２２９ｒ６であった。
このようにしてＩＣタグを装着したグラビヤシリンダーを客先のグラビヤ印刷機に装着し、通常の回転数で回した結果、特に位置ずれや溶剤による問題はなく十分使用が可能と判断された。これによってグラビヤシリンダーの管理が機械的に事務所の画面で一元管理できるめどが立った。【００２２】なお落版後の再メッキの場合には「ＴＡＧピース」部分を外して行うとＩＣタグはメッキ液の影響を全く受けずに次の品番のグラビヤシリンダーに再利用することが出来た。【００２３】・金属製台車を押す金属棒部分にフィルムまたは不織布を巻くようにして、両端にある「ＴＡＧピース」と「取り付けパーツ」部分のプラダンを重ね合わせ、横から割ピンで両者を接合してＩＣタグを装着した。こうするとＩＤタグはプラダンの厚さで本体金属からの距離が取れるため、通常のＩＣタグで十分通信することが可能であった。一般にＩＣタグと金属の距離は５ｍｍ以上離れていれば通信可能と言われているが、本装置では厚さ４ｍｍのプラダンを使えば都合８ｍｍの距離が稼げるので、両者重ね合わせの場合でも通信に必要な距離が確保でき、問題なく通信可能であった。また合掌合わせで利用すれば金属製品に対してフラッグを立てたような状態になり、これも通常のタグが使用可能なので、状況に応じてどちらの合わせ方でも使うことが出来る。なお割ピンも必要に応じて両側から複数本差し込んで使うこともできた。
これにより金属製の物流機器にも特に金属用タグを使う必要はなく、安価なＩＣタグで対応できることが分かった。
【産業上の利用の可能性】
【００２４】印刷会社はこれまで残紙の管理やグラビヤシリンダーの管理は熟練作業者による人的管理を行って来た。どちらかというと印刷業界は労働集約的な側面を持つ業種であったが、このところの人手不足や熟練作業者が不足している昨今では、ＩＣタグを始めＱＲコードなどの管理ツールを使って合理化、省人化を図って、効率よい作業消化が求められる時代になっている。今回のタグ装着構成部材は印刷業界をはじめ様々な物流機器や製品に簡便かつ安価に管理ツールを取り付けることが出来る。
【符号の説明】
【００２５】１．▲１▼はＩＣタグ等の管理ツールを備えた割ピン付き「ＴＡＧピース」
２．▲２▼は「取り付け台座」。接着剤、粘着剤、結束バンドその他で製品に固定
３．▲３▼は割ピン、基本的には１本で済むが、必要に応じて複数本使用できる。
【図１】
0003221424.tif 000003
【図２】
0003221424.tif 000004
【図３】
0003221424.tif 000005
【図４】
0003221424.tif 000006
【図５】
0003221424.tif 000007
【図６】
0003221424.tif 000008